(57)【要約】  車載システムは、個人用ナビゲーション装置と交信して、自動的な指図および運転者の指図の両方を個人用ナビゲーション装置に渡すことができる。車載システムから渡された情報および指図を使用して、ナビゲーション装置は、数ある中でも、道案内の提供、車両ステータス警告の提供、およびＧＰＳ信号なしでのナビゲーションを制御することができる。個人用ナビゲーション装置からの出力は、車載システムに渡して、例えば、車両のスピーカーを通して再生することができる。
2012518789.tif 000002
【特許請求の範囲】
【請求項１】
車両通信システムであって：
永続的および非永続的なメモリと交信するコンピュータプロセッサと；
前記コンピュータプロセッサと交信し、また前記車両に配置された一つ以上の無線装置と無線で交信するよう構成された、ローカル無線トランシーバ；および
音声出力を提供するスピーカーを含み；
前記プロセッサは、前記トランシーバを通じて前記一つ以上の無線装置と接続するよう動作可能であり、また少なくとも一つの前記無線装置は、個人用ナビゲーション装置であり；
前記永続的メモリには、少なくとも一つのアプリケーションが含まれ、このアプリケーションは前記プロセッサによって実行可能であり、実行されることによって、システムは：
前記個人用ナビゲーション装置からの道案内出力を示す信号をトランシーバが受信した場合に、スピーカーからの音楽源からの音声出力を抑制し；
前記スピーカーを介して道案内の出力を再生し、その一方で音楽源からの音声出力を抑制するが、ここで、前記プロセッサは、道案内の出力がトランシーバによってテキスト信号として受信された場合には、道案内の出力として再生するために、テキスト信号を音声信号に変換するよう動作可能であり、また前記プロセッサは、道案内の出力がトランシーバによって音声信号として受信された場合には、受信した音声信号を道案内の出力として再生するように動作可能であり；および
いったん、道案内の出力が再生されたら、前記スピーカーからの音楽源からの抑制した音声出力を復元する、車両通信システム。
【請求項２】
少なくとも一つの前記無線装置が携帯電話である、請求項１に記載のシステム。
【請求項３】
音楽源が、ＣＤプレーヤーであり、また音声出力の抑制にＣＤの一時停止が含まれる、請求項１に記載のシステム。
【請求項４】
前記音楽源が、音声ファイルプレーヤーであり、また音声出力の抑制に音声ファイルの再生の一時停止が含まれる、請求項１に記載のシステム。
【請求項５】
前記音楽源が、ラジオであり、また音声出力の抑制に音楽源の消音が含まれる、請求項１に記載のシステム。
【請求項６】
車載コンピューティングシステムであって：
永続的および非永続的なメモリと交信するコンピュータプロセッサと；
前記コンピュータプロセッサと交信し、また車両に配置された前記一つ以上の無線装置と無線で交信するよう構成された、ローカル無線トランシーバを含み：
前記プロセッサは、前記トランシーバを通じて設定可能な携帯機器と交信するよう動作可能であり；および
前記プロセッサは、一つ以上の保存されたシステム設定を前記携帯機器に転送するよう動作可能であり、前記携帯機器はさらに一つ以上の転送された設定を採用するよう動作可能である、車載コンピューティングシステム。
【請求項７】
前記携帯機器が個人用ナビゲーション装置である、請求項６に記載のシステム。
【請求項８】
前記設定に言語の設定が含まれる、請求項６に記載のシステム。
【請求項９】
前記設定に時間の設定が含まれる、請求項６に記載のシステム。
【請求項１０】
車載コンピューティングシステムであって：
永続的および非永続的なメモリと交信するコンピュータプロセッサと；
前記コンピュータプロセッサと交信し、また車両に配置された一つ以上の無線装置と無線で交信するよう構成された、ローカル無線トランシーバを含み：
前記プロセッサは、前記携帯機器とトランシーバを通じて通信できるよう動作可能であり；および
前記プロセッサは、車両情報を携帯機器に転送するよう動作可能で、ここで、少なくとも部分的に車両情報の転送に基づき、前記携帯機器が前記携帯機器に備わっている一つ以上の機能を自動的に実行するように動作可能である、車載コンピューティングシステム。
【請求項１１】
前記携帯機器が個人用ナビゲーション装置である、請求項１０に記載のシステム。
【請求項１２】
前記プロセッサがガソリン不足の通知を前記個人用ナビゲーション装置に転送するように動作可能で、その後、前記個人用ナビゲーション装置が、最寄のガソリンスタンドにナビゲーションするオプションを提供するよう動作可能である、請求項１１に記載のシステム。
【請求項１３】
前記プロセッサが、車両速度または進行方向のうち少なくとも一つを、前記個人用ナビゲーション装置に転送するよう動作可能で、また、前記個人用ナビゲーション装置が転送された情報を使用して現在の車両の所在地を推測航法するよう動作可能である、請求項１１に記載のシステム。
【請求項１４】
前記プロセッサが、暗い状況が検出されたことの通知を転送し、また前記携帯機器が夜間または低照度の設定に切り替えるオプションを提供するよう動作可能である、請求項１０に記載のシステム。
【発明の詳細な説明】
【技術分野】
【０００１】
本発明は、一般的に個人用ナビゲーション装置のための車載コンピューティングシステムインターフェースに関する。
【背景技術】
【０００２】
ＴＯＭＴＯＭやＧＡＲＭＩＮといった装置などの個人用ナビゲーション装置（ＰＮＤ）では、それらの装置が置かれている車両の位置を追跡するためにＧＰＳ座標が使用される。これらはまた、使用者が持ち歩き、移動を追跡することもでき、また目的地への適切な移動経路を決定するために使用することもできる。
【０００３】
ＴＯＭＴＯＭは、ブルートゥース（登録商標：Ｂｌｕｅｔｏｏｔｈ）フォンと接続し、およびその電話にかけられた通話を無線で受信する能力を含む、ブルートゥース機能も持つ。これらは、出力として機能する内蔵スピーカーと、運転者または他の使用者からの音声入力を受信するピックアップマイクを持つ。
【０００４】
ＴＯＭＴＯＭはまた、交通情報へのアクセス、追加的な経路、ポイント情報（ＰＯＩ）、新規音声および他のサービスを含めた一連の付加サービスも提供している。
【０００５】
ＧＡＲＭＩＮは、ナビゲーション装置に電話としての機能を持たせる、目的地に電話をかける、ＳＭＳ（テキストメッセージング）対応、およびアドレス帳機能を含めた、類似した互換性を提供している。
【発明の概要】
【０００６】
本発明の一実施態様において、車載コンピューティングシステムは、ＰＮＤと無線で交信する。システムは、ＰＮＤを制御するために使用できる。この実施態様において、車載コンピューティングシステムは、運転者からの音声コマンドで制御できる。車載システムへの音声コマンド入力は、ＰＮＤに送信されるコマンドに変換され、そこでコマンドが実行される。これによって、運転者は、車載コンピューティングシステムの使用を通してＰＮＤを音声で制御できる。
【０００７】
本発明の別の実施態様において、車載システムには、事前設定、またはその他の方法で使用者が選択することができる一連の設定が含まれる。システムは、ＰＮＤと連動するため、これらの設定はＰＮＤに直接伝送でき、例えば、異なる車両に設置したときなどに、その設定を変更できる。例えば、使用者が、車載システムを、スペイン語で発話・応答するように設定している場合には、その車両に配置されたＰＮＤは、車載システムとの交信を通して、スペイン語でディスプレイ／発話するよう自動的に設定する。設定をその内部に保存しうる車載システムは、ＰＮＤと交信するため、これらの設定は自動的にＰＮＤに伝送される。
【０００８】
さらに、車載システムは、ＰＮＤを通して情報を中継することができる。さらなる説明のための実施態様において、車載システムは、車両自体に関する各種の情報にアクセスできる。例としては、限定されないものの、空気圧不足、ガソリン不足、オイルチェンジの必要性、車両速度などが含まれる。この情報は、ＰＮＤに伝達でき、また実際の情報として表示したり、さらに別の機能と併用して追加的なユーザーオプションを提供したりすることもできる。
【０００９】
非限定的な一例において、車両速度をＰＮＤに伝達しうる。これは、例えば、「都会の峡谷」において有用でありうる。これらは、都市／トンネル／その他において、高層ビルまたは他の構造がＧＰＳ信号を遮断する場所である。「推測航法」として知られている技法によって、ＰＮＤは、既存の地図データなどの情報や伝達された車両速度を使用して、ＧＰＳ信号に実際にアクセスして所在地を決定できなくても、現時点で車両が所在している場所を正確に決定することができる。車両はまた、少なくとも一つの例示的な実施態様においてコンパスの方向を提供することもできる。
【００１０】
別の非限定的な例において、ガソリン不足および／またはタイヤの圧力不足の状態を、ＰＮＤに伝達することができる。次に、ＰＮＤは、使用者にメッセージを表示することなく、自動的に潜在的な問題を認識して、使用者が最寄のガソリンスタンドへのナビゲーションを希望するかどうかを尋ねることができる。
【００１１】
さらに第三の非限定的な例において、車両は、ヘッドライトがオンになったこと（例えば、その時点で夜間であることを車両が判断したことを示す）をＰＮＤに伝達しうる。これに応答して、ＰＮＤは、使用者が夜間の運転にさらに適した配色の使用を希望するかどうかを尋ねることができる。
【００１２】
これらおよびその他の車両情報の使用を通じて、ＰＮＤは、さらにずっと強力なツールとなりうる。さらに、車両が車両情報を表示するためにＰＮＤを使用する場合、ＰＮＤのディスプレイを、大抵の車両に提供されている限られたディスプレイスペースよりもずっと効果的に使用することができる。
【００１３】
車載システムに応じて、ＰＮＤとの各種のタイプの発話による交信が可能である。車両に取り付けたボタンを押し、システムおよび／またはＰＮＤにコマンドが入力されることを知らせるというケースが考えられる。次にシステムは、コマンドの入力を待機しうる。別の非限定的な例において、「ダイアログ」を指図して、使用者が車載システムを通じてＰＮＤと「対話をする」こともできる。
【００１４】
車載システムから情報を受け取ることに加えて、ＰＮＤは車載システムに情報を返信することもできる。例えば、ＰＮＤは、音声案内を車載システムに送信しうる。次に、車載システムは、例えば、現在再生中の任意の音声（例えば、音楽など）を消音または一時停止して、自動車のスピーカーを通して指示を再生することができる。これによって、二つの音声源が干渉するのを防止でき、さらには、ずっと大きな音量で明瞭なかたちの指示が提供される。指示が提供された後、車載システムは、抑制した音声があればその再生を再開する。
【００１５】
別の方法として、ＰＮＤに音声または音響再生の機能が備わっている場合、ＰＮＤは、指図を車載システムに中継し、ＰＮＤの出力を聞き取りやすくするように、システムに音声の再生を消音するよう指図することができる。
【図面の簡単な説明】
【００１６】
実例となる実施態様のその他の目的、形態および特性は、模範的な実施態様についての下記の詳細な説明を、添付図面に照らして読むことにより明らかとなる：
【図１】ＰＮＤと対話可能な車載システムを説明するための模式図である。
【図２】車載システムとＰＮＤとの間の通信のための、例示的な説明のための初期化プロセスを示す図である。
【図３】ＰＮＤと車載システムとの間の設定を転送するための、例示的な説明のためのプロセスを示す図である。
【図４】ＰＮＤシステムからのメニューコマンドを車載システムに転送するための、例示的な説明のためのプロセスを示す図である。
【図５】移動先の場所を、車載システムを通じてＰＮＤに入力するための、例示的な説明のためのプロセスを示す図である。
【図６】車載システムからＰＮＤに送信する、例示的な車両ステータスのプロンプトを示す図である。
【図７】車載システムからの情報を使用したＰＮＤでの推測航法のための、例示的なプロセスを示す図である。
【図８】方向指示アイコンを車両制御パネル上に表示するための、例示的なプロセスを示す図である。
【図９】２台のブルートゥース装置間での調整と、コマンドの受信の非限定的な例を示す、例示的な状態図である。
【発明を実施するための形態】
【００１７】
本発明は、特定の例示的な実例となる実施態様と関連して説明している。しかしながら、本発明の真正な範囲および精神から逸脱することなく、開示した例示的な実例となる実施態様への修正、拡張および変更をしうることは当業者によって理解される。要するに、下記の説明はあくまで例示を目的としたものであり、また本発明は、本明細書で開示されている特定の実例となる実施態様に限定されない。
【００１８】
図１は、指示を自動車に送信するために使用可能な説明のための車載通信システムの例示的なシステムアーキテクチャを図示したものである。車両通信およびエンターテイメントシステム（ＶＣＥＳ）などの車載システムを有効にした車両には、車両内に位置する可視的なフロントエンドインターフェース４が含まれうる。使用者は、それが提供されている場合には、例えば、タッチセンシティブスクリーンを用いて、インターフェースと対話することもできる。実例となる別の実施態様において、対話は、可聴音声および音声合成によって発生する。
【００１９】
図１に示す実例となる実施態様１において、プロセッサ３は、システムの動作を制御する。車両内部に提供されていることで、プロセッサによりコマンドおよびルーチンの車内での処理が可能である。さらに、プロセッサは、一時記憶装置５および永久記憶装置７の両方に接続される。この実例となる実施態様において、一時記憶装置は、ランダムアクセスメモリ（ＲＡＭ）であり、永久記憶装置はハードディスクドライブ（ＨＤＤ）またはフラッシュメモリである。
【００２０】
プロセッサには、使用者がプロセッサとのインターフェースをとるための、複数の異なる入力も提供されている。この実例となる実施態様において、マイクロホン２９、補助入力２５、ＵＳＢ入力２３、およびブルートゥース入力１５が全て提供されている。使用者が各種の入力間で切り換えができるよう、入力セレクター５１も提供されている。マイクロホンおよび補助コネクタの両方への入力は、プロセッサに渡される前に、コンバータ２７によりアナログからデジタルに変換される。
【００２１】
システムへの出力には、限定はされないものの、表示装置４およびスピーカー１３またはステレオシステム出力が含まれうる。スピーカーは、アンプ（増幅器）１１に接続され、プロセッサ３からのその信号を、デジタル・アナログ変換器９を通して受信する。出力は、リモートブルートゥース装置またはＵＳＢ装置に対しても、それぞれ参照番号１９および２１に示す双方向データストリームに沿ってなすことができる。
【００２２】
実例となる一実施態様において、システム１は、使用者のノマディック装置５３（例えば、携帯電話、スマートフォン、ＰＤＡ、など）と通信１７するために、ブルートゥーストランシーバ１５を使用する。次に、ノマディック装置は、車両３１外のネットワーク６１と通信５９するために、例えば、セルラータワー５７との通信５５により使用できる。
【００２３】
ノマディック装置５３とブルートゥーストランシーバ１５とのペアリングは、ボタン５２または類似した入力により、ＣＰＵに内蔵ブルートゥーストランシーバがノマディック装置内のブルートゥーストランシーバとペアとなることを知らせ、命令することができる。
【００２４】
データは、ノマディック装置５３に関連したブロードバンド無線データプランを利用して、ＣＰＵ  ３とネットワーク６１との間の通信をしうる。別の方法として、ＣＰＵ  ３とネットワーク６１の間でボイスバンドを介してデータを転送するためのオンボード（車載）モデム６３を含めることが望ましいことがある。実例となる一実施態様において、プロセッサは、モデムアプリケーションソフトウェアと通信するＡＰＩを含むオペレーティングシステムを備えている。モデムアプリケーションソフトウェアは、リモートブルートゥーストランシーバ（ノマディック装置にあるものなど）との無線通信を完了するために、ブルートゥーストランシーバ上の埋め込みモジュールまたはファームウェアにアクセスしうる。別の実施態様において、ノマディック装置５３には、ボイスバンドまたはブロードバンドデータ通信用のモデムが含まれる。データ・オーバー・ボイスの実施態様において、データの転送中にノマディック装置の所有者が装置を介して会話できるときに、周波数分割多重伝送方式として知られている技術を導入することができる。また、所有者が装置を使用していないときには、データ転送は、帯域全体（一例で、３００  Ｈｚ〜３．４ｋＨｚ）を使用できる。使用者が、ノマディック装置に関連したデータプランを有しているとき、データプランにより、ブロードバンド伝送ができるようにすることが可能で、またシステムは、より幅広い帯域を使用すること（データ転送のスピードアップ）ができる。さらに別の実施態様において、ノマディック装置５３は、車両３１に取り付けたセルラー通信装置（図示せず）と置き換えられる。
【００２５】
一実施態様において、受信データは、ノマディック装置を通し、データ・オーバー・ボイスまたはデータプランを経由し、車載ブルートゥーストランシーバを通し、および車両内部のプロセッサ３内に通過させることができる。
【００２６】
ノマディック装置との通信に加えて、車両はＰＮＤとも通信しうる。一部の例において、ノマディック装置およびＰＮＤは、一つであり、同一である（例えば、ＧＰＳ機能が搭載された携帯電話）。他の例において、ＰＮＤは、別個の装置としうる。
【００２７】
複数のブルートゥース装置が存在する場合、システムは、情報がそれぞれの装置にスムーズに流れ、かつ適切な情報が適切な装置に送信されるように、両方の装置への通信間で調整する必要がある場合がある。さらに、システムは、使用者の入力コマンドを受信する必要がある場合があり、また情報の送信とコマンドの受信の状態間で調整を必要とする。図９は、調整の非限定的な例を示す例示的な状態図である。
【００２８】
図２は、車載システムとＰＮＤとの間の通信のための、例示的な説明のための初期化プロセス２００を示す。いったん車載システムに電源が投入されると、システムは接続先のＢＴ装置（または信号）を連続的に探索２０１できる。少なくとも一つの例示的な実施態様において、車両は車載システムとペアリングされた装置とのみ接続できる。ペアリングされた装置が存在する場合には、車載システムは、装置との通信を確立２０３できる。
【００２９】
実例となる一実施態様において、車載システムは、装置とシステムとの間で設定を転送２０５する。これは、言語、時間、またはその他任意の適切な設定などが考えられる。これについては、図３に関連してより詳細に説明する。
【００３０】
任意の設定が転送された後２０５、システムは、使用者に装置が接続されたことを通知２０７する。これは、しばしば、メッセージまたはトーンなどの音声による通知の形態をとるが、視覚的な通知の可能性もある。
【００３１】
この実例となる実施態様において、システムは次に、別のブルートゥースポーリングスレッドの開始２０９に進む。これにより、追加のブルートゥース装置の検出ができる。非限定的な一例において、使用者は、携帯電話およびＰＮＤを、どちらもブルートゥースを使用して、車載システムに接続することを望む場合がある。この実例となる実施態様のシステムは、新しい接続を連続的にポーリングするため、両方の装置が検出され、接続されるはずである。
【００３２】
多くの場合、ＰＮＤはメニューを表示する。実例となる一実施態様において、車載システムは、ＰＮＤからメニューをダウンロード２１１する。これについては、図４に関連してより詳細に説明する。
【００３３】
メニューがダウンロードされるか、または他の方法で車載システムに供給された後、システムは使用者からのコマンドを待機２１３する。コマンドが入力されなかった場合、システムは、ＢＴ装置にまだ電源が入っているかを確認２１６する。装置にまだ電源が入っているあいだ、システムは、メニューが変更されずに、引き続きコマンドを待機していることを確認する。いったんコマンドが供給されると、システムは、コマンドの処理２１５に進む。
【００３４】
一部の実施において、ＰＮＤにコマンドの分析をさせることが望ましい場合がある。これらの場合には、メニューはダウンロードされずに、むしろコマンドが車載システムによって受信され、分析のためにＰＮＤに渡される。コマンドは、口頭で、または物理的に入力しうる。一定のコマンドは、使用者の任意の相互作用なしに、車両によって自動的に入力されうる。この非限定的な一実施例を、図６に詳細に示す。
【００３５】
図３は、ＰＮＤと車載システムとの間の設定を転送２０５するための、例示的な説明のためのプロセスを示す。この実例となる実施態様において、車載システムまたはＰＮＤのいずれかは、二つのシステムの他方に転送することが望ましい一つ以上の設定を持つ。これらの設定には、限定されないものの、時刻、言語などが含まれうる。
【００３６】
例えば、車載システムは、スペイン語で動作するようにプログラムできる。ＰＮＤをこのシステムと通信状態にすることにより、車載の設定が変更されない限り、システムがスペイン語で動作するようになる。同様に、ＰＮＤはスペイン語で動作するようにプログラムできる。スペイン語で動作するＰＮＤを英語に応答するようプログラムされた車両と通信状態にすると、代わりに車両がスペイン語に応答するようになることがある。理想的には、両方が他方の変更を試みる際に二つの装置が衝突する可能性が高くない限り、特定の実施について一方の体系または他方の体系が選択される。
【００３７】
同様に、ＰＮＤはＧＰＳベースであるため、物理的に時間帯を横切る際に、そのクロックが動的に変更されることがよくある。車載クロックに、適切な場合にＰＮＤの時刻と一致させて変更するように指図する信号を送信することができる。これにより、時間帯を横切った際に、車両はクロック時刻を自動的に変更できる。
【００３８】
実例となる実施において、システムはまずＰＮＤに新しい設定を受信する能力があるかどうかチェック３０１する。能力がない場合には、システムは、使用者がＰＮＤからのクロック設定を使用するかどうかを使用者に尋ねる３０５。ＰＮＤが新しい設定を受信可能な場合、車載システムは該当する設定をＰＮＤに転送３０３する。次に、車載システムは、使用者がＰＮＤからのクロック設定を使用するかどうかのチェック３０５に進む。使用者がこれらの設定の使用を希望する場合、車載システムは、ＰＮＤからクロック信号を受信し３０７、それに対応して車両クロックをリセット３０９する。
【００３９】
他の設定には、例えば自宅の所在地が含まれうる。車載システムで使用者の自宅の住所が分かっている場合、個人用ナビゲーション装置を車両に保存されている住所に対応した新しい自宅住所に更新しうる。数多くの他の設定もまた可能である。
【００４０】
図４は、ＰＮＤシステムからのメニューコマンドを車載システムに転送する２１１ための、例示的な説明のためのプロセスを示す。多くのＰＮＤには、各種のコマンドをリストした視覚メニューが供給されている。ＰＮＤは一般にタッチセンシティブであるため、表示されたそれぞれのコマンドは、一般に触れることで起動される。ところが、これは、自動車の運転中にタッチ式のシステムとの対話を望まない運転者にとって問題となる。したがって、運転者は、車載システムを使用してこれらのメニューコマンドを入力できる。
【００４１】
多くの場合、車載システムは、音声コマンドに応答する。別の方法として、車載システムは、物理的に入力したコマンドに応答しうる。少なくとも一つの実例となる実施態様において、これらのコマンドは、運転者がコマンドを入力するために自分の手をハンドルから離す必要がないように、ハンドル上にある一つ以上の入力を使用して入力される。ＰＮＤがそれ自体で音声コマンドを受信する能力を持つ場合でも、これらの音声コマンドへのメニューパスには、一つ以上のタッチ入力を必要としうる。車載システムを使用して、運転者は、指図を入力するために、自分の手をハンドルから離す必要なく、音声処理モードに入るように、ＰＮＤに命令することができる。
【００４２】
実例となる一実施態様において、表示されたメニューコマンドは、車載システムに転送４０１される。この実施態様では、表示されたコマンドのみが転送されるが、平坦化されたメニューシステムを転送することもできる。平坦化されたメニューシステムでは、使用者が、現在の画面では利用できない既知のオプションを、そのオプションが利用できる画面に移動する必要なく、実行するようＰＮＤに指図できるように、メニューツリー全体が車載システムに転送される。他の実施態様では、部分的に平坦化されたメニュー、または一般的および／または人気のあるコマンドのリストを転送できる。
【００４３】
いったん車載システムがコマンドを受信すると、この実例となる実施態様において、コマンドはテキストから音声コマンドに変換４０３される。これにより、発話による指図が音声コマンドに対して比較され、一致を検索することができる。別のオプションは、テキストコマンドを保存し、受信する音声がテキストに変換され、その後テキストが、保存されたテキストに対して比較される。入力コマンドを転送されたコマンドと比較する任意の適切な手段が許容される。なお、実例となるさらなる実施態様において、発話によるコマンドはＰＮＤに直接的に転送され、ＰＮＤにより分析が実施される。
【００４４】
この実例となる実施態様では、コマンドを発話する前に、ボタン（例えば、ハンドルにあるボタン）を押す４０５必要がある。これは、自動車内の一般的なノイズ（例えば、ステレオ、乗客、周囲の道路の雑音など）がコマンドとして解釈されることを防止するのに役立つ。しかしながら、ボタンを押すことを必要としないシステムを提供することも可能である。
【００４５】
いったんボタンを押すと、システムは、ラジオの雑音がコマンドとして解釈されないように、ラジオを消音４０７する。次に、システムは、コマンドが発話されるのを待機４０９する。この実例となる実施態様において、システムの待機中、コマンドが発話されていない間は、システムはコマンドの待機がタイムアウト（時間切れ）となったかどうかを確認４１１[sic: 211]する。その場合、システムはボタンが押されるのを待つ状態に戻る。コマンドが発話された場合、システムは、コマンドが利用可能な音声コマンド４１５と一致するかどうかを確認する。その場合、コマンドは処理される２１５が、そのコマンドと一致するコマンドがない場合、システムは使用者に通知し４１３、有効なコマンドを待つ状態に戻る。コマンドの入力中に乗客が不注意に雑音を発生させることがあるため、システムは、有効なコマンドが入力されるまで引き続き待機するが、システムは、例えば、別のコマンドを合図するボタンが押されるのを待つ状態に戻ることもある。
【００４６】
ＰＮＤに入力しうる一つの種類のコマンドは、目的地である。図５は、目的地の場所を、車載システムを通じてＰＮＤに入力する２１５ための、例示的な説明のためのプロセスを示す。ステップ５０１に到達する前に、使用者は目的地の住所が入力されるようにＰＮＤに指図することもできる。次に５０１で、車載システムは、ＰＮＤの現在の入力画面を受信する。この実例となる実施態様において、入力画面では、まず使用者に市を選択するよう求める。使用者は、市の名前を発話するか、または市を一字ずつ綴る。名前または文字の入力が提示された後５０３、システムは入力をＰＮＤに送信５０５する。次に、システムはＰＮＤから、さらに入力が必要かどうかについてのメッセージを受信５０７する。例えば、使用者が市の名前を発話する場合には、ＰＮＤは入力が完了したことを示すメッセージを送信しうる。ところが、使用者が１文字のみを発話した場合には、可能性のある様々な選択肢が残されているため、ＰＮＤは、さらに入力を必要とすることを示すメッセージを送信しうる。
【００４７】
車載システムは、さらに入力が必要であるかどうかを判断するために、ステータスメッセージをチェックする。その場合、入力を待つ状態に戻る。それ以上の入力が必要ではない場合、システムは、任意の入力画面が残っているかどうかを確認５１１する。例えば、住所を市、街路名、番地（ｃｉｔｙ，  ｓｔｒｅｅｔ，  ｎｕｍｂｅｒ）の形式で入力する必要があるような場合である。その結果、市を入力した後、使用者はまだ街路名と番地を入力する必要がある。この場合には、システムはＰＮＤの表示された次の入力画面を受信し５０１、プロセスを開始する。一方、ＰＮＤがシステムに提示した情報で道案内を提供することができる場合には、さらなる入力が必要とされないこともある。
【００４８】
入力の順序および入力の方法については、数多くの可能性が存在するが、ここで説明するのは、一つの例示的かつ非限定的な実施である。
【００４９】
使用者と相互作用することなく、自動的な車両ステータスメッセージをＰＮＤに送信することも望ましい。これらのメッセージには、限定はされないが、タイヤ圧力、ガソリン量、昼間／夜間の検出、および車両速度が含まれうる。
【００５０】
図６は、車載システムからＰＮＤに送信する２１５、例示的な車両ステータスのプロンプトを示す。説明のための実施において、車両は、ガソリン不足の信号をＰＮＤに送信している。まず、車両は燃料レベルが低いかどうかを確認６００する。次に、車両は、ＰＮＤが自動的に最寄のガソリンスタンドを検索できるかを判断６０１する。その場合、車両は、ＰＮＤにメッセージを送信し、車両が燃料不足であることを通知６０３する。多くのＰＮＤは、具体的な住所を提供しなくても、ガソリンスタンドおよび他の重要な場所への経路を地図で表すことができる。
【００５１】
この実例となる実施態様では、いったんＰＮＤがガソリン不足の信号を受信すると、ガソリン不足のメッセージを表示し、使用者に最寄のガソリンスタンドへの地図を表示するかを尋ねる。このメッセージは、使用者が警告を確実に聞くことができるよう、音声による方法で車載システムを通して伝達される６０５が、メッセージは、ＰＮＤに単に表示することもできる。使用者は、最寄のガソリンスタンドまでのナビゲーションを必要とするかどうか尋ねられ６０７、また「はい」６１１または「いいえ」６０９が、ＰＮＤに伝えられる。
【００５２】
さらに、車両は、残りの走行距離が一定の閾値を下回った場合に、ＰＮＤに自動的に最寄のガソリンスタンドまでの経路をプロットするよう指図することもあるが、ガソリンスタンドが、タンク残量での走行距離内にあると仮定する。これは、ガソリン不足のメッセージを無視して、問題にならないようにするのに役立つ。
【００５３】
追加的な「非車両」データを、車両とＰＮＤとの間で中継することもできる。例えば、運転者は、デジタル音楽選集を再生するよう指図でき、またＰＮＤはその選集を処理できる。または、ダイアルする電話連絡先を選択し、指図をＰＮＤに渡して、その連絡先にダイアルするか、または、例えば、ダイアルする連絡先を表示して、適切な電話がかけられることを確認することができる。同様に、電話で受信する通話に、車両を経由してそれに関連した発信者ＩＤを持たせ、ＰＮＤ上に表示することができる。別の機能としては、室温調節オプションをＰＮＤ上に表示することがある。一つ以上のこれらの実施態様において、指図は車載システムからＰＮＤ以外の装置に渡される。同時に、ＰＮＤ（またはディスプレイ付きの他の装置）は、その指図に関連した一部の面を表示するようになる。この様に、第二の装置ディスプレイは、第一の装置への指図に関する情報を表示するために使用され、また情報は、車載システムを通じて両方の装置に送られる。
【００５４】
図７は、車載システム７００からの情報を使用したＰＮＤでの推測航法のための、例示的なプロセスを示す。離れた場所や高層ビルが信号を遮断する「都会の峡谷」など、ある一定の地域では、時にはＧＰＳ信号がＰＮＤで失われることがある。ただし、信号が失われた場合でも、ＰＮＤには、その上に保存された地域の地図を持ちうる。「推測航法」と呼ばれる技法を使用することにより、ＧＰＳ信号が再び利用可能となるまで、ＰＮＤは車両が地図上のどこにいるかを予測できる。
【００５５】
この実例となる実施態様において、少なくともＧＰＳ情報が利用できないとき７０１、車載システムは情報をＰＮＤに送信し、ＰＮＤは推測航法を実行するために必要な情報を受信７０３する。次に、例えば、速度、時刻および進行方向の変化に基づき、ＰＮＤは車両位置の変化を計算し７０５、表示された地図を更新７０７することができる。
【００５６】
いったん地図が更新されると、次の一連の情報が送信されたときに同じ計算を完了することができるように、車両は現時点で送信された速度、時刻、進行方向を保存７０９できる。車両がこの情報を引き続き送信できる限り、推測航法は、必要に応じてＧＰＳ信号が回復するまで、必要なだけ継続できる。
【００５７】
図８は、方向指示アイコンを車両制御パネル上に表示するための、例示的なプロセスを示す。どちらの方向に曲がるかを示す方向指示アイコンをＰＮＤに表示することに加え、車両の計器パネルにそのアイコン、または類似したアイコンを表示することが望ましいことがある。
【００５８】
実例となる一実施態様において、車載システムは、ＰＮＤからテキストストリームを受信８０１する。この説明のための実施態様において、テキストストリームは、運転者に中継するメッセージを車両に提供するストリームである。車載システムは、メッセージを運転者に中継するなど、テキストストリームの他の用途を持ちうるが、車載システムは、方向指示コマンドのためのストリームを、例えば、一度に１語選択することで解析８０３しうる。
【００５９】
方向指示キーワードが見つからない場合８０５、システムはテキストが残っているかどうかを確認８０４する。残りのテキストにより、テキスト中の次の単語の選択がなされる。方向指示キーワードがいったん見つかると８０５、システムは、テキストが残っているかどうかの確認８０６をし、それに続く追加的なキーワードがないかをチェックする８０７ことができる（例えば、単語「ｓｌｉｇｈｔ」（わずかに）の後に単語「ｌｅｆｔ」（左））。検出された文字列にそれ以上のキーワードが残っていない場合、またはテキストがそれ以上残っていない場合、車両のディスプレイは、指図した操作を表すアイコンを表示８０９できる。このディスプレイは、小さなＬＣＤディスプレイで、または他の任意の適切なディスプレイ上で実施できる。
【００６０】
テキストストリームの解析に加え、追加的な方法には、限定されないものの、解析のための音声からテキストへの変換、指図の部分の別個の受信、または車載ディスプレイ上に表示される指図の部分の決定するための他の任意の適切な方法などが含まれうる。
【００６１】
図９は、２台のブルートゥース装置間での調整の非限定的な例を示す、例示的な状態図である。この実例となる実施態様において、システムはブルートゥース装置が全く接続されていないところ９０１で始動する。信号を受信していない場合、システムはこの状態にとどまる。
【００６２】
第一のブルートゥース信号が検出されると、システムは第一のブルートゥース装置に接続９０３される。この状態から、データ転送の指図が受信された場合、システムは情報転送状態に移行９１３する。この状態には、データ送信が完了するまでとどまる。１台の装置のみが接続されている場合、状態９０３に戻る。
【００６３】
また、状態９０３では、使用者によりコマンドを入力できる。これにより、システムは、コマンドを待つ状態９０５に移る。コマンドが受信されない限り、システムは状態９０５で待機する。いったんコマンドが受信されると、システムは、データ転送状態９１３に移行する。
【００６４】
システムが状態９０３にあるときに第二のブルートゥース信号が検出されると、システムは、第一および第二の両方のブルートゥース装置が接続された状態９０７に移行する。第一の装置に向けられたコマンドにより、システムは状態９０５に移り、および第二の装置へのコマンドは、システムを状態９０９にする。両方の状態９０５、９０９によって、コマンド待機状態になり、またそれぞれのコマンドによりシステムは、状態９１３または９１１になる。
【００６５】
データ転送状態９１３、９１１のいずれかにおいて、システムは、データ転送が完了するまで待機した後、接続されている装置の数に応じて、適切な状態に戻る。
【００６６】
一つの例示的かつ非限定的な状態図を提示したが、調節プロセスには数多くの可能性があり、またこの実例となる実施態様は、非限定的な実施例であることが意図される。
【００６７】
本発明について、現時点で最も実用的かつ望ましいと考えられる実施態様に関連して説明してきたが、本発明は、開示した実施態様に限定されず、添付した請求項の精神および範囲内に含まれる様々な修正および同等なアレンジを網羅することを意図していることが理解されるべきである。
【図１】
2012518789.tif 000003
【図２】
2012518789.tif 000004
【図３】
2012518789.tif 000005
【図４】
2012518789.tif 000006
【図５】
2012518789.tif 000007
【図６】
2012518789.tif 000008
【図７】
2012518789.tif 000009
【図８】
2012518789.tif 000010
【図９】
2012518789.tif 000011
【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
車両通信システムであって：
永続的および非永続的なメモリと交信するコンピュータプロセッサと；
前記コンピュータプロセッサと交信し、また前記車両に配置された一つ以上の無線装置と無線で交信するよう構成された、ローカル無線トランシーバ；および
音声出力を提供するスピーカーを含み；
前記プロセッサは、前記トランシーバを通じて前記一つ以上の無線装置と接続するよう動作可能であり、少なくとも一つの前記無線装置が個人用ナビゲーション装置（ＰＮＤ）であり、また前記プロセッサは、前記ＰＮＤと前記トランシーバを通じて通信し、車両をベースにした入力への前記ＰＮＤ入力を制御するためのコマンドを転送するよう動作可能である、車両通信システム。
【請求項２】
前記プロセッサが、さらに前記ＰＮＤの少なくとも一つのメニューをダウンロードし、車両システムを介して前記メニューを出力するよう動作可能である、請求項１に記載のシステム。
【請求項３】
前記メニュー出力がディスプレイを使用してなされる、請求項２に記載のシステム。
【請求項４】
前記出力が音声出力を使用してなされる、請求項２に記載のシステム。
【請求項５】
前記プロセッサが、ＰＮＤから複数のメニュー画面をダウンロードして、前記複数のメニュー画面で利用可能なオプションを持つ単一のメニューとして使用者に提示するように動作可能な、請求項１に記載のシステム。
【請求項６】
車載コンピューティングシステムであって；
永続的および非永続的なメモリと交信するコンピュータプロセッサ；
前記コンピュータプロセッサと交信し、また前記車両に配置された一つ以上の無線装置と無線で交信するよう構成された、ローカル無線トランシーバを含み：
前記プロセッサは、前記トランシーバを通して設定可能な携帯機器と交信するよう動作可能であり；および
前記プロセッサは、一つ以上の保存されたシステム設定を携帯機器に転送するよう動作可能であり、前記携帯機器はさらに前記一つ以上の転送された設定を採用するよう動作可能である、車載コンピューティングシステム。
【請求項７】
前記携帯機器が個人用ナビゲーション装置である、請求項６に記載のシステム。
【請求項８】
前記設定に言語の設定が含まれる、請求項６に記載のシステム。
【請求項９】
前記設定に時間の設定が含まれる、請求項６に記載のシステム。
【請求項１０】
車載コンピューティングシステムであって：
永続的および非永続的なメモリと交信するコンピュータプロセッサと；
前記コンピュータプロセッサと交信し、また前記車両に配置された一つ以上の無線装置と無線で交信するよう構成された、ローカル無線トランシーバを含み：
前記プロセッサは、前記携帯機器と前記トランシーバを通じて通信できるよう動作可能であり；および
前記プロセッサが、暗い状況が車両に装備された光センサーによって検出されたことの通知を転送し、また暗い状態の通知が受信されたとき、前記携帯機器が夜間または低照度の設定に切り替えるオプションを提供するよう動作可能である、車載コンピューティングシステム。
【国際調査報告】
2012518789.tif 000012